(57)【特許請求の範囲】
【請求項１】
音波を受けて振動する振動板と、
上記振動板に固着されて振動板とともに振動するボイスコイルと、
上記ボイスコイルが配置される磁気ギャップを含みこの磁気ギャップに磁場を生成する磁気回路と、
上記振動板の背面側に形成されていて音響抵抗が配置されている第１空気室と、
上記ボイスコイルの後方に形成されている第２空気室と、
上記第１空気室と第２空気室をつなぐ音波の連通路と、を備え、
上記磁気回路は、磁石とヨークとポールピースを有してなり、
上記ヨークは、内側ヨークとこの内側ヨークと一体に結合された外側ヨークを有していて、上記外側ヨークの内周面と上記ポールピースの外周面との間に上記磁気ギャップが形成され、
上記連通路は、上記内側ヨークに設けられた溝で形成されているダイナミックマイクロホンユニット。
【請求項２】
上記磁石と内側ヨークとポールピースは中心孔を有し、上記連通路は上記内側ヨークの外周と上記内側ヨークの上記中心孔をつないでいる請求項１記載のダイナミックマイクロホンユニット。
【請求項３】
上記内側ヨークの面に上記磁石の面が接し、上記内側ヨークと上記磁石との間に上記連通路が形成されている請求項１または２記載のダイナミックマイクロホンユニット。
【請求項４】
上記外側ヨークは、ユニットフレームを兼ねている請求項１，２または３記載のダイナミックマイクロホンユニット。
【請求項５】
上記磁石の外周にはリング状のスペーサが配置され、上記スペーサの外周には上記連通路に通じる切欠きが形成されている請求項１乃至４のいずれかに記載のダイナミックマイクロホンユニット。
【請求項６】
マイクロホンケースにダイナミックマイクロホンユニットが組み込まれてなるダイナミックマイクロホンであって、上記ダイナミックマイクロホンユニットは請求項１乃至５のいずれかに記載されているダイナミックマイクロホンユニットであるダイナミックマイクロホン。
【発明の詳細な説明】
【技術分野】
【０００１】
本発明は、ダイナミックマイクロホンユニットおよびダイナミックマイクロホンに関するもので、特に、単一指向性ダイナミックマイクロホンユニットに有効な共振抑制構造に関するものである。
【背景技術】
【０００２】
単一指向性ダイナミックマイクロホンは、無指向性成分と双指向性成分を組み合わせることによって単一指向性を得ている。上記無指向性成分は音響抵抗に依存し、双指向性成分は質量制御に依存する。単一指向性を実現するためには、抵抗成分の周波数応答を平坦にする必要があり、振動板の直後に音響抵抗を配置している。
【０００３】
図８は、従来の単一指向性ダイナミックマイクロホンユニットの一例を示している。図８において、符号１は、マイクロホンユニットの基体をなすユニットフレームを示している。ユニットフレーム１は、後述の磁気回路の一部を兼ねていて、外側ヨークとして機能している。ユニットフレーム１は、磁性体からなるほぼ円筒形状の部材で、中心孔の図８において下側の約半分が小径になって、上下方向の中間に段部が形成されている。
【０００４】
ユニットフレーム１の中心孔内には、上記段部に円板状のヨーク２が固定され、ヨーク２の上には円板状の磁石３が固定され、磁石３の上には円板状のポールピース４が固定されている。これらヨーク２、磁石３、ポールピース４は同径の中心孔２１，３１，４１を有している。これらユニットフレーム１、ヨーク２、磁石３、ポールピース４は互いに接着によって結合されている。ユニットフレーム１を上記のように外側ヨークとすると、ヨーク２は内側ヨークとして機能している。ヨーク２の外周面はユニットフレーム１の内周面に密着しているのに対し、ポールピース４の外周面とユニットフレーム１の内周面との間には円形の間隙が生じている。磁石３から出る磁束は、ヨーク２、外側ヨークを兼ねるユニットフレーム１、上記間隙、ポールピース４で構成される磁気回路を通って磁石３に戻る。よって、上記間隙は磁気ギャップになっている。磁石３の外径はポールピース４の外径よりも小さく、上記磁気ギャップの下方に、磁気ギャップよりも幅広の空気室９が磁石３の外周に形成されている。
【０００５】
ユニットフレーム１の上端部外周には、円筒部材３５が固定されている。円筒部材３５は上端部内周側に内向きのフランジ３６を有していて、このフランジ３６がユニットフレーム１の上端部外周に接着などによって固定されている。上記フランジ３６にはこのフランジ３６を上下に貫通する孔３７が複数箇所に設けられ、円筒部材３５の内周面とユニットフレーム１の外周面との間に生じている円筒形状の空間が、上記孔３７を経て、円筒部材３５の上方の空間と連通している。上記孔３７の上端は音響抵抗体１８によって覆われている。
【０００６】
円筒部材３５の上端部に振動板５の外周縁部が固着されている。振動板５は合成樹脂や金属の薄膜を素材としてなり、この素材を成形することによって、センタードーム５１とこのセンタードーム５１を囲むサブドーム５２を備えている。センタードーム５１は球面の一部を切り取った形であるのに対し、サブドーム５２は断面が部分円弧形状でセンタードーム５１の外周縁に連続して形成され、サブドーム５２の外周縁部が円筒部材３５の外周縁部に固着されている。振動板５は、上記のようにサブドーム５２の外周縁部が円筒部材３５に固着されるため、音波を受けるとその音圧によりサブドーム５２の外周縁部を支点として前後方向（図８において上下方向）に振動することができる。
【０００７】
振動板５にはセンタードーム５１とサブドーム５２の境界に沿ってボイスコイル６が固着されている。ボイスコイル６は、細い導線を巻き回すことにより円筒形状に形成されかつ固められたもので、円筒形状の一端が振動板５に固着されている。振動板５のサブドーム５２の外周縁部が上記のように固着されている状態で、ボイスコイル６が前記磁気ギャップ内に位置し、ボイスコイル６はユニットフレーム１からもポールピース４からも離間している。振動板５のサブドーム５２は、円筒部材３５の孔３７および音響抵抗体１８をこれらの上方で覆っている。
【０００８】
振動板５の背面側（図８において振動板５の下側）には、保護部材７がポールピース４の上面に固着されて配置されている。保護部材７の上面はドーム状に形成され、振動板５のセンタードーム５１との間に一定間隔の隙間が保たれている。保護部材７は、前記ポールピース４、磁石３、ヨーク２の中心孔４１、３１、２１に連通する中心孔７１を有している。
【０００９】
振動板５の正面側には、振動板５の保護部材を兼ねたイコライザー８が、その外周縁部を円筒部材３５の上端外周縁部に固着することによって配置されている。イコライザー８の中心部の天井面はドーム状に形成され、振動板５のセンタードーム５１との間に一定間隔の隙間が保たれている。イコライザー８は外部からの音波を振動板５に導くための中心孔８１およびこの中心孔８１の周囲に複数の孔８２を有している。
【００１０】
ユニットフレーム１の下端には蓋１０が嵌められ、ユニットフレーム１の下端開口が塞がれることによって比較的大きな空気室１１が形成されている。空気室１１には不織布などを厚く重ねてなる音響抵抗体１２が配置されている。音響抵抗体１２は振動板５の背面側に配置されている。このように構成することにより、単一指向性のダイナミックマイクロホンユニットを得ることができる。
【００１１】
振動板５は、音波を受けるとその音圧の変化にしたがって前後に振動し、振動板５の振動とともにボイスコイル６も前後に振動する。ボイスコイル６が振動するとき前記磁気ギャップを通っている磁束をボイスコイル６が横切り、ボイスコイル６が音圧の変化に対応した音声信号を発電する。このようにして電気音響変換が行われ、例えば、サブドーム５２の背面に沿って引き回されているボイスコイル６の両端から音声信号が外部に出力される。
【００１２】
上記のように構成されたマイクロホンユニットによれば、各部に形成されている音響質量、音響容量によって共振する。以下、この共振の原因について説明する。ユニットフレーム１が兼ねる外側ヨークの内周面とポールピース４の外周面との間に形成されている磁気ギャップは、ボイスコイル６が接触しない範囲で可能な限り狭くしている。磁気ギャップの磁束密度を高めてマイクロホンの感度を高めるためである。したがって、振動板５の背面側の空間が、ボイスコイル６によって、センタードーム５１の背面側空間の音響容量Ｓｃと、サブドーム５２の背面側空間の音響容量Ｓｓに分割されているのと実質的に同じと考えることができる。
【００１３】
上記磁気ギャップの音響質量と音響抵抗はボイスコイル６によって内周側と外周側に分割される。ボイスコイル６の内周とポールピース４の外周面との間に生じている隙間による音響質量をｍｇｉ、音響抵抗をｒｇｉ、ボイスコイル６の外周面とユニットフレーム１が兼ねる外側ヨークの内周面との間に生じている隙間による音響質量をｍｇｏ、音響抵抗をｒｇｏとする。また、ユニットフレーム１の内周面と磁石３の外周面との間に生じている前記空気室９の音響容量をＳｇとすると、上記二つの空間の音響容量ＳｃとＳｓが、上記音響質量ｍｇｉ、音響抵抗ｒｇｉ、音響容量Ｓｇ、音響質量ｍｇｏ、音響抵抗ｒｇｏを経てつながっている。
【００１４】
振動板５に前面側からかかる音圧をＰ１、前記ユニットフレーム１の空気室１１内に配置された音響抵抗体１２の音響抵抗をｒ１、空気室１１の音響容量をＳ１、前記円筒部材３５のフランジ３６を上下に貫通しサブドーム５２の背面側の空間Ｓｓに至る孔３７の音響質量をｍ１、孔３７に入る音波の音圧をＰ２、上記孔３７と上記空間Ｓｓとの間に配置されている音響抵抗体１８の音響抵抗値をｒ２、振動板５の前面側空気室の音響質量をｍｏ、音響容量をＳｏとする。
【００１５】
図１０は、上に述べた各音響質量、音響容量、音響抵抗を有してなる図８に示すマイクロホンユニットの等価回路を示す。図１０において、音圧Ｐ１、音響質量ｍｏ、音響容量Ｓｏ、音響質量ｍｇｉ、音響抵抗ｒｇｉ、音響抵抗ｒｇｏ、音響質量ｍｇｏ、音響質量ｍ１、音響抵抗ｒ２、音圧Ｐ２が直列に接続されている。音響容量Ｓｏと音響質量ｍｇｉの接続点と、音圧Ｐ１と音圧Ｐ２の接続点とが、音響容量Ｓｃで接続されるとともに、直列接続された音響抵抗ｒ１と音響容量Ｓ１で接続されている。また、音響抵抗ｒｇｉと音響抵抗ｒｇｏの接続点と、音圧Ｐ１と音圧Ｐ２の接続点とが、音響容量Ｓｇで接続されている。さらに、音響質量ｍｇｏと音響質量ｍ１の接続点と、音圧Ｐ１と音圧Ｐ２の接続点とが、音響容量Ｓｓで接続されている。
【００１６】
図１０から明らかなように、ボイスコイル６で分割されている磁気ギャップの内周側音響質量ｍｇｉと空気室９の音響容量Ｓｇが共振回路を構成し、また、上記磁気ギャップの外周側音響質量ｍｇｏとサブドーム５２の背面側空間の音響容量Ｓｓが共振回路を構成している。特に、上記空気室９の容積は、ユニットフレーム１の下半部の空気室１１の容積と比較して小さくなっており、その音響容量Ｓｇが上記音響質量ｍｇｉと協働して共振しやすくなっている。
【００１７】
図１１は、上記の共振を生じるマイクロホンユニットの周波数特性を、ユニットに対して０°すなわち真正面からの音波と、９０°すなわち真横からの音波と、１８０°すなわち真後ろからの音波について測定したものである。図１１から明らかなように、特定の周波数において共振してピークが発生し、周波数特性が劣化していることが分かる。また、単一指向性マイクロホンにおいては、低い周波数から高い周波数まで信号レベルが均一であることが望ましいが、従来の単一指向性マイクロホンによれば、図１１に示すように、周波数帯域によって信号レベルがばらついている。このような周波数特性のマイクロホンによれば、指向性が不均一になり、特定の方向からの音波の音色が変化したように電気音響変換される難点がある。
【００１８】
上記共振を低減するために、空気室９の容積をより一層小さくして音響容量Ｓｇを極小にし、音響質量ｍｇｉと共振しにくくすることが考えられる。図９に示す従来例はその一例である。この例では、磁石３の外周にスペーサ１５を配置し、図８に示す従来例において磁石３の外周面とユニットフレーム１の内周面との間に生じていた空気室９の大半をスペーサ１５で埋めている。スペーサ１５は上端の外周側約半分が切除されて段部が形成され、この段部が、ボイスコイル６の下端と隙間をおいて対向し、ボイスコイル６の移動ストロークに対する逃げとなっている。スペーサ１５の上記段部によって生じている空間が空気室９となっていて、空気室９の容積が極小になっており、よって、その音響容量も極小となり、音響質量ｍｇｉとの共振が生じにくくなっている。
【００１９】
ところで、マイクロホンユニットの感度を高めるためには、振動板５の有効面積すなわちメインドーム５１の面積を大きくすることが有効である。メインドーム５１の面積を大きくするとボイスコイル６の直径が大きくなり、振動板５の移動ストローク、したがってボイスコイル６の移動ストロークも大きくなる。それに伴い、ボイスコイル６が収容される上記空気室９の容積が大きくなため、空気室９の音響容量Ｓｇを小さくすることは難しい。図９に示す従来例においても、マイクロホンユニットの外径が例えば４０ｍｍ程度の大きさになると、空気室９の容積を小さくするには限界があり、音響質量ｍｇｉと音響容量Ｓｇによる共振を回避することは難しい。
【００２０】
本発明に関連のある先行技術文献として特許文献１を挙げる。特許文献１記載の発明は、フレームヨークのフランジ部に指向回路としての開口を設けるとともに、この開口の後ろ側に、前面側が上記開口に対向して解放され、後面部に小さい開口を設けた小容積の気室を、指向抵抗体を介して設置し、共振回路を形成したものである。上記共振回路で目的の周波数で共振させることにより、指向回路の音響インピーダンスを下げ、正面特性である０°特性と後面方向特性である１８０°特性の音圧差を大きくしてハウリング現象を起こしにくくしている。
【００２１】
後で説明するように、本願発明は共振を防止して周波数特性を改善することを目的としているのに対し、特許文献１記載の発明は特定の周波数帯で共振させてハウリングを起こしにくくすることを目的としており、両者は目的が異なる。しかし、共振させるための構成と共振させないための構成には技術的に裏腹の関係があり、いずれも空気室と空気室につながる音波の通路をどのように形成するかに関して関連があるため、特許文献１を挙げた。
【先行技術文献】
【特許文献】
【００２２】
【特許文献１】特開平１１−２７５６８０号公報
【発明の概要】
【発明が解決しようとする課題】
【００２３】
図８、図９に示す従来のダイナミックマイクロホンユニットについて述べたように、従来のダイナミックマイクロホンユニットによれば、ボイスコイルの後ろ側の空気室の存在が、ボイスコイルとこのボイスコイルが配置されている磁気ギャップの音響質量とともに共振の要因となり、周波数特性を劣化させている。
【００２４】
そこで本発明は、従来のダイナミックマイクロホンユニットの問題点を解消すること、すなわち、ボイスコイルの後ろ側の空気室の存在が共振の要因となることを回避できるように構成を工夫し、良好な周波数特性を得ることができるダイナミックマイクロホンユニットおよびこのマイクロホンユニットを用いたダイナミックマイクロホンを提供することを目的とする。
【課題を解決するための手段】
【００２５】
本発明は、
音波を受けて振動する振動板と、
上記振動板に固着されて振動板とともに振動するボイスコイルと、
上記ボイスコイルが配置される磁気ギャップを含みこの磁気ギャップに磁場を生成する磁気回路と、
上記振動板の背面側に形成されていて音響抵抗が配置されている第１空気室と、
上記ボイスコイルの後方に形成されている第２空気室と、
上記第１空気室と第２空気室をつなぐ音波の連通路と、を備え、
上記磁気回路は、磁石とヨークとポールピースを有してなり、
上記ヨークは、内側ヨークとこの内側ヨークと一体に結合された外側ヨークを有していて、上記外側ヨークの内周面と上記ポールピースの外周面との間に上記磁気ギャップが形成され、
上記連通路は、上記内側ヨークに設けられた溝で形成されていることを最も主要な特徴とする。
【発明の効果】
【００２６】
音波の連通路が、磁気ギャップ部の音響質量を短絡することになって磁気ギャップ部の音響質量を実質的に無効にするため、ボイスコイル後方の第２空気室の音響容量と上記音響質量との共振を防止し、低音域から高音域までピークのない平坦で良好な周波数特性を得ることできる。
【図面の簡単な説明】
【００２７】
【図１】本発明に係るダイナミックマイクロホンユニットの実施例を示す縦断面図である。
【図２】上記実施例中の内側ヨークを示す平面図である。
【図３】上記ヨークの縦断面図である。
【図４】上記実施例中のスペーサを平面図である。
【図５】上記スペーサの縦断面図である。
【図６】上記実施例の等価回路図である。
【図７】上記実施例の周波数特性線図である。
【図８】従来のダイナミックマイクロホンユニットの一例を示す縦断面図である。
【図９】従来のダイナミックマイクロホンユニットの他の例を示す縦断面図である。
【図１０】従来のダイナミックマイクロホンユニットの等価回路図である。
【図１１】従来のダイナミックマイクロホンユニットの周波数特性線図である。
【発明を実施するための形態】
【００２８】
以下、本発明に係るダイナミックマイクロホンユニットの実施例を、図面を参照しながら説明するとともに、本発明に係るダイナミックマイクロホンについても言及する。なお、図８、図９に示す従来のダイナミックマイクロホンユニットの構成部分と同じ構成部分には共通の符号を付した。
【実施例】
【００２９】
図１において、符号１は、マイクロホンユニットの基体をなすユニットフレームを示している。ユニットフレーム１は、磁気回路の一部を兼ねていて、外側ヨークとして機能している。ユニットフレーム１は、磁性体からなるほぼ円筒形状の部材で、中心孔の図１において下側の約半分が小径になっていて、上記中心孔の上下方向の中間に段部が形成されている。
【００３０】
ユニットフレーム１の中心孔内には、上記段部に円板状の内側ヨーク２が固定され、内側ヨーク２の上には円板状の磁石３が固定され、磁石３の上には円板状のポールピース４が固定されている。これら内側ヨーク２、磁石３、ポールピース４は同径の中心孔２１，３１，４１を有している。これらユニットフレーム１、内側ヨーク２、磁石３、ポールピース４は互いに接着によって結合されている。内側ヨーク２の外周面はユニットフレーム１の内周面に密着しているのに対し、ポールピース４の外周面とユニットフレーム１の内周面との間には円形の間隙が生じている。磁石３から出る磁束は、ヨーク２、外側ヨークを兼ねるユニットフレーム１、上記間隙、ポールピース４で構成される磁気回路を通って磁石３に戻る。よって、上記間隙は磁気ギャップになっている。
【００３１】
磁石３の外径はポールピース４の外径よりも小さく、磁石３の外周面とユニットフレーム１の内周面との間に生じている円形の空気室９にはリング状のスペーサ５０が嵌められている。上記スペーサ５０には、図４、図５に示すように、リングの外周縁部を上端から削り落すことにより低段部５６が形成され、スペーサ５０の内周縁部は厚さ（上下方向の寸法）が磁石３の厚さとほぼ同じ高段部５４となっている。スペーサ５０の外周には、周方向に等間隔で４箇所に切欠き５８が形成されている。スペーサ５０の半径方向における切欠き５８の切り込み深さ寸法は、スペーサ５０の半径方向における低段部５６の寸法と同じになっている。スペーサ５０の内周面は磁石３の外周面に接し、スペーサ５０の外周面はユニットフレーム１の内周面に接している。したがって、上記空気室９はスペーサ５０の低段部５６の上方に生じている小さな容積の空気室に制限されている。また、空気室９はスペーサ５０の上記切欠き５８と連通している。
【００３２】
ユニットフレーム１の上端部外周には、円筒部材３５が固定されている。円筒部材３５は上端部内周側に内向きのフランジ３６を有していて、このフランジ３６がユニットフレーム１の上端部外周に接着などによって固定されている。円筒部材３５は実質的にユニットフレーム１の一部を構成している。上記内向きのフランジ３６にはこのフランジ３６を上下に貫通する孔３７が複数箇所に設けられ、円筒部材３５の内周面とユニットフレーム１の外周面との間に生じている円筒形状の空間が、上記孔３７を経て、円筒部材３５の上方の空間と連通している。上記孔３７の上端は音響抵抗体１８によって覆われている。
【００３３】
実質的にユニットフレーム１の一部を構成している円筒部材３５の上端部には、振動板５の外周縁部が固着されている。振動板５は合成樹脂や金属の薄膜を素材としてなり、この素材を成形することによって、センタードーム５１とこのセンタードーム５１の全周を囲むサブドーム５２を備えている。センタードーム５１は球面の一部を切り取った形であるのに対し、サブドーム５２は断面が部分円弧形状でセンタードーム５１の外周縁に連続してセンタードーム５１と一体に形成されている。サブドーム５２の外周縁部が円筒部材３５の外周縁部に固着されている。振動板５は、上記のようにサブドーム５２の外周縁部が円筒部材３５に固着されているため、音波を受けるとその音圧によりサブドーム５２の外周縁部を支点として前後方向（図１において上下方向）に振動することができる。
【００３４】
振動板５にはセンタードーム５１とサブドーム５２の境界に沿ってボイスコイル６が固着されている。ボイスコイル６は、細い導線を巻き回すことにより円筒形に形成されかつ定まった形を保つように固められたもので、円筒形の一端が振動板５に固着されている。振動板５のサブドーム５２の外周縁部が上記のように固着されている状態で、ボイスコイル６が前記磁気ギャップ内に位置し、ボイスコイル６はユニットフレーム１からもポールピース４からも離間している。振動板５のサブドーム５２は、円筒部材３５の孔３７および音響抵抗体１８をこれらの上方で覆っている。
【００３５】
振動板５の背面側（図１において振動板５の下側）には、保護部材７がポールピース４の上面に固着されて配置されている。保護部材７の上面はドーム状に形成され、振動板５のセンタードーム５１との間に一定間隔の隙間が保たれている。保護部材７は、前記ポールピース４、磁石３、ヨーク２の中心孔４１、３１、２１に連通する中心孔７１を有している。
【００３６】
振動板５の正面側には、振動板５の保護部材を兼ねたイコライザー８が、その外周縁部を円筒部材３５の上端外周縁部に固着することによって配置されている。イコライザー８の中心部の天井面はドーム状に形成され、振動板５のセンタードーム５１との間に一定間隔の隙間が保たれている。イコライザー８は外部からの音波を振動板５に導くための中心孔８１および中心孔８１の周囲に複数の孔８２を有している。
【００３７】
ユニットフレーム１の下端開口には蓋１０が嵌められて密閉され、ユニットフレーム１内に比較的大きな空気室１１が形成されている。空気室１１には不織布などを厚く重ねてなる音響抵抗体１２が配置されている。音響抵抗体１２は振動板５のメインドーム５１の背面側に配置されている。空気室１１を第１空気室、前記ボイスコイル６の後方の空気室９を第２空気室とする。第２空気室９は、ボイスコイル６の外周面側の磁気ギャップ、振動板５のサブドーム５１の背面側空気室、磁気抵抗体１８、円筒部材３５の孔３７、円筒部材３５の内周面とユニットフレーム１の外周面との間の空間を経て外部に通じている。以上のようにして、単一指向性ダイナミックマイクロホンユニットが構成されている。本発明に係るダイナミックマイクロホンユニットの大きさは特に限定されないが、図示の実施例では、イコライザー８の外径を４０ｍｍとした。
【００３８】
本実施例の大きな特徴は、上記第１空気室１１と第２空気室９をつなぐ音波の連通路が形成されていることである。上記連通路は、内側ヨーク２の構成を工夫することによって形成されている。内側ヨーク２は、図２、図３に示すように、磁石３との対向面（図１において上面）に、半径方向の溝２２を有している。溝２２は内側ヨーク２の周方向の４箇所に等間隔に設けられていて、各溝２２は内側ヨーク２の外周と内側ヨーク２の中心孔２１をつないでいる。内側ヨーク２は、各溝２２の位置が前記スペーサ５０に形成されている各切欠き５８の位置に合うように位置合わせして配置され、各溝２２で形成される空間と上記各切欠き５８で形成される空間が連通している。内側ヨーク２の上面に磁石３の下面が接し、内側ヨーク２と磁石３との間に、上記各溝２２からなる連通路が形成され、この連通路はさらにスペーサ５０の各切欠き５８を経て、第１空気室１１と第２空気室９をつないでいる。
【００３９】
上記内側ヨーク２の各溝２２の断面形状と上記各切欠き５８の断面形状はともに矩形であり、かつ、これらの断面積はほぼ一致している。また、各溝２２の断面積の合計は、ボイスコイル６の内周側とポールピース４との間で音響質量ｍｇｉ、音響抵抗ｒｇｉを形成している間隙の平面方向から見た面積、およびボイスコイル６の外周側とユニットフレーム１との間で音響質量ｍｇｏ、音響抵抗ｒｇｏを形成している間隙の平面方向から見た面積とほぼ同じになっている。
【００４０】
振動板５は、音波を受けるとその音圧の変化にしたがって前後に振動し、振動板５の振動とともにボイスコイル６も前後に振動する。ボイスコイル６は、前後に振動することによって前記磁気ギャップを通っている磁束を横切り、音圧の変化に対応した音声信号を発電する。このようにして電気音響変換が行われ、例えば、サブドーム５２の背面に沿って引き回されているボイスコイル６の両端から音声信号が外部に出力される。
【００４１】
図６は、上記実施例の等価回路を示す。図６において、音圧Ｐ１、音響質量ｍｏ、音響容量Ｓｏ、音響質量ｍｇｉ、音響抵抗ｒｇｉ、音響抵抗ｒｇｏ、音響質量ｍｇｏ、音響質量ｍ１、音響抵抗ｒ２、音圧Ｐ２が直列に接続されている。音響容量Ｓｏと音響質量ｍｇｉの接続点と、音圧Ｐ１と音圧Ｐ２の接続点とが、音響容量Ｓｃで接続されるとともに、直列接続された音響抵抗ｒ１と音響容量Ｓ１で接続されている。また、音響抵抗ｒｇｉと音響抵抗ｒｇｏの接続点と、音圧Ｐ１と音圧Ｐ２の接続点とが、音響容量Ｓｇで接続されている。さらに、音響質量ｍｇｏと音響質量ｍ１の接続点と、音圧Ｐ１と音圧Ｐ２の接続点とが、音響容量Ｓｓで接続されている。ここまでの等価回路の構成は、図１０に示す従来のダイナミックマイクロホンユニットの等価回路と同じである。
【００４２】
図６に示す本発明の実施例に係る等価回路が従来例と異なる点は、直列接続されている音響質量ｍｇｉと音響抵抗ｒｇｉに、直列接続されている音響質量ｍｙと音響抵抗ｒｙが並列に接続されている点である。音響質量ｍｙは、第１空気室１１と第２空気室９をつなぐ前記連通路、すなわち、前記内側ヨーク２の各溝２２からなる気室の音響質量、音響抵抗ｒｙは上記連通路の音響抵抗である。図１からわかるように、ボイスコイル６の内周側にポールピース４との間に生じている間隙を、上記連通路がバイパスした形になっていて、図６に示す等価回路でも、ボイスコイル６の内周側にポールピース４との間に生じている間隙の音響質量ｍｇｉ、音響抵抗ｒｇｉを、上記連通路の音響質量ｍｙと音響抵抗ｒｙがバイパスしている。
【００４３】
従来のダイナミックマイクロホンユニットについて説明したように、ボイスコイル６の内周側音響質量ｍｇｉと空気室９の音響容量Ｓｇが共振回路を構成していて、この共振回路の共振によって音響特性を劣化させていた。これに対して、本発明の実施例によれば、音響質量ｍｇｉ、音響抵抗ｒｇｉからなる直列接続に、上記連通路の音響質量ｍｙと音響抵抗ｒｙからなる直列接続が並列に接続され、音響質量ｍｇｉ、音響抵抗ｒｇｉからなる直列接続を音響質量ｍｙと音響抵抗ｒｙからなる直列接続で短絡した形になっている。よって、音響質量ｍｇｉと音響容量Ｓｇに起因する共振が、音響質量ｍｙと音響抵抗ｒｙで軽減される。
【００４４】
図７は、本発明の実施例によって得られる周波数特性であって、真正面の音源すなわち０°の角度をもった音源と１２０°の角度をもった音源について測定した結果を示す。図７の周波数特性から明らかなように、全周波数帯域においてピークのない良好な周波数特性を得ることができる。また、１２０°の角度をもった音源からの周波数特性も全周波数帯域においてピークがなくかつ全周波数帯域において安定して出力レベルが抑制され、ハウリングの起こりにくい、単一指向性ダイナミックマイクロホンユニットとして良好な指向特性を持っていることがわかる。
【００４５】
以上説明した実施例にかかるダイナミックマイクロホンユニットは、これをマイクロホンケースに組み付けることにより、さらには、マイクロホンケースにマイクロホンユニットの出力信号を外部に出力するためのマイクロホンコネクタを組み付けることにより、ダイナミックマイクロホンが構成される。
【符号の説明】
【００４６】
１    ユニットフレーム（外側ヨーク）
２    内側ヨーク
３    磁石
４    ポールピース
５    振動板
６    ボイスコイル
８    イコライザー（保護部材）
９    第２空気室
１１    第１空気室（後部空気室）
１２    音響抵抗体
２１    中心孔
２２    連通路（溝）
５０    スペーサ
５６    低段部
５８    切欠き
【図１】
0005665697.tif 000002
【図２】
0005665697.tif 000003
【図３】
0005665697.tif 000004
【図４】
0005665697.tif 000005
【図５】
0005665697.tif 000006
【図６】
0005665697.tif 000007
【図７】
0005665697.tif 000008
【図８】
0005665697.tif 000009
【図９】
0005665697.tif 000010
【図１０】
0005665697.tif 000011
【図１１】
0005665697.tif 000012